(57)【要約】【課題】  複数台のビデオカメラで撮影した映像を１つの記録媒体に同時に記録可能なビデオカメラを提供する。【解決手段】  ＤＶＣ１ａの撮像制御部２ａは、通信制御部３ａに対して映像データの受信開始を指示する制御信号を、撮像カメラ部４ａに対して撮影開始及び停止を指示する制御信号を、記録制御部５に対して記録モードの通知と記録開始及び停止を指示する制御信号を出力し、通信制御部３ａは、ＤＶＣ１ａ−ＤＶＣ１ｂ間の通信を確立しＤＶＣ１ｂから送信される映像データを受信する。また、撮像カメラ部４ａは、映像データを取り込み所定のデータ形式で出力し、記録制御部５は、撮像カメラ部４ａによって取り込まれた映像データ、および子機から送信された映像データを記録媒体７に記録し、エンコーダ部６は、撮像カメラ部４ａによって取り込まれた映像データ、および子機から送信された映像データを所定のデータ形式で再符号化する。【選択図】  図１
2005151421.tif 000002
【特許請求の範囲】
【請求項１】
有線または無線で相互に接続される複数台の映像記録装置によって構成される映像記録システムにおいて当該複数台の映像記録装置によって撮像される映像の映像データを受信し記録する親機として動作可能な映像記録装置であって、
１つの前記映像データのみを記録媒体に記録する記録モード、または複数の前記映像データを同時に前記記録媒体に記録する記録モードのいずれかの記録モードを設定し、１台以上の他の映像記録装置に対して撮影開始または停止の制御信号を生成可能な撮像制御手段と、
前記１台以上の他の映像記録装置との通信を確立し、当該１台以上の他の映像記録装置に対して前記撮影開始または停止の制御信号を送信し、当該１台以上の他の映像記録装置から送信される前記映像データを受信する通信制御手段と、
映像を取り込み、所定のデータ形式で前記映像の映像データを出力する撮像手段と、
前記撮像手段から出力される前記映像データ、および前記他の映像記録装置から送信される前記映像データを他のデータ形式で再符号化可能な再符号化手段と、
前記撮像制御手段が設定する前記記録モードに従って、前記撮像手段から出力される前記映像データ、および前記他の映像記録装置から送信される前記映像データ、または前記再符号化手段によって再符号化された前記映像データの１つまたは同時に複数を１つの前記記録媒体に記録する記録制御手段と、
を備えることを特徴とする映像記録装置。
【請求項２】
有線または無線で相互に接続される複数台の映像記録装置によって構成される映像記録システムにおいて１つの映像データまたは同時に複数の前記映像データを１つの記録媒体に記録する他の前記映像記録装置に対して前記映像データを送信する子機として動作可能な映像記録装置であって、
前記他の映像記録装置との通信を確立し、当該他の映像記録装置から前記撮影開始または停止の制御信号を受信し、当該他の映像記録装置に対して前記映像データを送信する通信制御手段と、
入力操作または前記制御信号に従って、映像を取り込み、所定のデータ形式で前記映像データを出力する撮像手段と、
を備えることを特徴とする映像記録装置。
【発明の詳細な説明】
【技術分野】
【０００１】
本発明は、複数台の映像記録装置で撮影した映像を１つの記録媒体に同時に記録可能な映像記録装置に関する。
【背景技術】
【０００２】
従来の映像記録装置の一形態である一般家庭用デジタルビデオカメラ（以降、ＤＶＣと称す）では、撮影者が被写体を追いつつ自分自身を撮影することは非常に困難であった。例えば、運動会で子供ばかりを撮影してしまい、撮影者であった父兄が全く写っていないということはよくあることである。
【０００３】
これを解決するためにはＤＶＣをもう１台用意して、他者がその撮影者を撮影すれば良いが、当然のことながら撮影される映像は２本になり、録画される記録媒体も２つ必要となる。結果として、単に独立した２つのコンテンツができるだけであった。
【０００４】
また、ＤＶＣが複数台になると、価格面での問題が生じるだけでなく、撮影後の編集の必要性が生じることになる。
【０００５】
ところで、複数台のカメラで撮影した映像を１つに集約するシステムとして、監視システムがある。同時録画機能をもった従来の監視システムで利用されているカメラは、ＬＡＮ（Local Area Network）等のネットワークに接続可能な機能を有しているが、そのカメラ自体に一旦録画した後、その録画した映像を集中監視装置に転送するというものであった。そのため、集中監視装置やカメラ自体も非常に高額なものとなり、とても一般家庭で利用できるものではなかった（例えば、特許文献１、特許文献２）。
【特許文献１】特開平１１−２８４９８７号公報
【特許文献２】特開平１１−２０５７８１号公報
【発明の開示】
【発明が解決しようとする課題】
【０００６】
本発明は、複数台の映像記録装置で撮影した映像を１つの記録媒体に同時に記録可能な映像記録装置を提供することを目的とする。
【課題を解決するための手段】
【０００７】
上記目的を達成するために、請求項１に記載の映像記録装置は、有線または無線で相互に接続される複数台の映像記録装置によって構成される映像記録システムにおいて当該複数台の映像記録装置によって撮像される映像の映像データを受信し記録する親機として動作可能な映像記録装置であって、１つの前記映像データのみを記録媒体に記録する記録モード、または複数の前記映像データを同時に前記記録媒体に記録する記録モードのいずれかの記録モードを設定し、１台以上の他の映像記録装置に対して撮影開始または停止の制御信号を生成可能な撮像制御手段と、前記１台以上の他の映像記録装置との通信を確立し、当該１台以上の他の映像記録装置に対して前記撮影開始または停止の制御信号を送信し、当該１台以上の他の映像記録装置から送信される前記映像データを受信する通信制御手段と、映像を取り込み、所定のデータ形式で前記映像の映像データを出力する撮像手段と、前記撮像手段から出力される前記映像データ、および前記他の映像記録装置から送信される前記映像データを他のデータ形式で再符号化可能な再符号化手段と、前記撮像制御手段が設定する前記記録モードに従って、前記撮像手段から出力される前記映像データ、および前記他の映像記録装置から送信される前記映像データ、または前記再符号化手段によって再符号化された前記映像データの１つまたは同時に複数を１つの前記記録媒体に記録する記録制御手段とを備えることを特徴とする。
【０００８】
また、請求項２に記載の映像記録装置は、有線または無線で相互に接続される複数台の映像記録装置によって構成される映像記録システムにおいて１つの映像データまたは同時に複数の前記映像データを１つの記録媒体に記録する他の前記映像記録装置に対して前記映像データを送信する子機として動作可能な映像記録装置であって、前記他の映像記録装置との通信を確立し、当該他の映像記録装置から前記撮影開始または停止の制御信号を受信し、当該他の映像記録装置に対して前記映像データを送信する通信制御手段と、入力操作または前記制御信号に従って、映像を取り込み、所定のデータ形式で前記映像データを出力する撮像手段とを備えることを特徴とする。
【発明の効果】
【０００９】
本発明によれば、複数のビデオカメラで撮影した複数の映像データが１つの記録媒体に記録されるので、撮影後の編集作業の必要性が低減し、また、記録媒体自体の利便性も向上する。
【発明を実施するための最良の形態】
【００１０】
本発明の実施形態を、図１〜図２を用いて説明する。
【００１１】
本実施形態において、映像記録装置としてのデジタルビデオカメラ１ａ（親機）（以降、ＤＶＣと称す）は、図１に示すように、撮像制御部２ａ、通信制御部３ａ、撮像カメラ部４ａ、記録制御部５、エンコーダ部６、および記録媒体７を備える。また、ＤＶＣ１ｂ（子機）は、撮像制御部２ｂ、通信制御部３ｂ、および撮像カメラ部４ｂを備える。
【００１２】
撮像制御部２ａは、スイッチ操作に基づいて、通信制御部３ａに対しては映像データの受信開始を指示する制御信号を、撮像カメラ部４ａに対しては撮影開始および停止を指示する制御信号を、記録制御部５に対しては記録モードの通知と記録開始、停止、戻し、早送り、サーチ（頭出し）等を指示する制御信号を、子機であるＤＶＣ１ｂに対する撮影開始および停止を指示する制御信号を生成しそれぞれ出力する機能を有する。
【００１３】
この記録モードは、「単一録画」と「複数同時録画」の２種類あり、「単一録画」とは、１つの映像データのみを記録媒体７に記録するモードであり、「複数同時録画」とは、複数の映像データを同時に並行して記録媒体７に記録するモードであるが、「複数同時録画」では、画面半分ずつにＤＶＣ１ａとＤＶＣ１ｂの映像がそれぞれ表示されるよう１つに合成しても良いし、２つの映像データを並行して同時に記録するようにしても良い。
【００１４】
通信制御部３ａは、ＤＶＣ１ｂが接続された際に、ＤＶＣ１ａ−ＤＶＣ１ｂ間の通信を確立し、ＤＶＣ１ｂから送信される映像データ（音声データを含む）を受信する機能を有する。また、通信制御部３ａは、撮像制御部２ａが出力するＤＶＣ１ｂに対する撮影開始および停止を指示する制御信号をＤＶＣ１ｂに送信する機能を有する。
【００１５】
撮像カメラ部４ａは、撮像制御部２ａからの指示に基づいて、映像データを取り込み、所定のデータ形式で出力する機能を有する。このデータ形式には、例えば、ＭＰＥＧ２（Moving Picture Experts Group phase 2）、ＭＰＥＧ４（MPEG phase 4）、ＤＶ（Digital Video）等があるが、特にこれらに限定するものではない。
【００１６】
記録制御部５は、撮像制御部２ａからの記録開始、停止を指示する制御信号に基づいて、撮像カメラ部４ａによって取り込まれた映像データ、およびＤＶＣ１ｂから送信された映像データを記録媒体７に記録する機能、また、戻し、早送り、サーチ（頭出し）を指示する制御信号に基づいて記録媒体７への記録位置を制御する機能を有する。また、記録制御部５は、記録モードに応じてエンコーダ部６に再符号化を指示する機能を有する。
【００１７】
エンコーダ部６は、撮像カメラ部４ａによって取り込まれた映像データ、およびＤＶＣ１ｂから送信された映像データを記録制御部５からの指示に基づいて、他の所定のデータ形式で再符号化する機能を有する。
【００１８】
一方、ＤＶＣ１ｂ（子機）においては、撮像制御部２ｂは、スイッチ操作に基づいて、通信制御部３ｂに対しては映像データの送信開始を指示する制御信号を、撮像カメラ部４ｂに対しては撮影開始および停止を指示する制御信号をそれぞれ出力する機能を有する。
【００１９】
通信制御部３ｂは、親機のＤＶＣ１ａに接続された際に、ＤＶＣ１ａ−ＤＶＣ１ｂ間の通信を確立し、ＤＶＣ１ａへ映像データ（音声データを含む）を送信する機能を有する。また、通信制御部３ｂは、ＤＶＣ１ａからの撮影開始および停止を撮像カメラ部４ｂに指示する制御信号を出力する機能を有する。
【００２０】
撮像カメラ部４ｂは、ＤＶＣ１ａまたは撮像制御部２ｂからの指示に基づいて、映像データを取り込み、所定のデータ形式で出力する機能を有する。
【００２１】
なお、本実施形態における記録媒体７とは、フラッシュメモリ等のシリコンディスク、ＤＶＤ（Digital Versatile Disk）やＣＤ（Compact Disc）等の光ディスク（光磁気ディスク）、Ｄ−ＶＨＳ（Data VHS）やＤＶ等の磁気テープ、マイクロドライブやハードディスク等の磁気ディスクである。
【００２２】
また、本実施形態においては、ＤＶＣ１ｂは、記録制御部５、エンコーダ部６、および記録媒体７を備えていないが、２台のＤＶＣ１を接続して１つの記録媒体７に映像データを記録する際は、ＤＶＣ１ａの記録制御部５、エンコーダ部６、および記録媒体７を機能させず、一方を子機として動作させるようにして実現しても良い。
【００２３】
また、ＤＶＣ１ａ−ＤＶＣ１ｂ間の通信は、有線方式、無線方式を問わず、通信プロトコルについても限定しない。
【００２４】
次に、ＤＶＣ１ａ−ＤＶＣ１ｂ間の映像データの送受信について、図２のシーケンス図に基づいて説明する。本実施形態では、ＤＶＣ１ａで撮影を行いつつ、平行してＤＶＣ１ｂからの映像データをＤＶＣ１ａで記録するという状況を想定する。また、ＤＶＣ１ａ−ＤＶＣ１ｂ間の通信は、有線方式で行うこととし、ＤＶＣ１ｂは予めＤＶＣ１ａのＩＰアドレスを記憶していることとする。
【００２５】
まず、ＤＶＣ１ａのユーザが操作パネルを操作して、撮影開始の所定の入力を行うと（ステップＳ０１）、撮像制御部２ａは、撮像カメラ部４ａに対して撮影開始を指示する制御信号を、記録制御部５に対して所定のデータ形式での記録開始を指示する制御信号を出力する。この時のＤＶＣ１ａの記録モードは、ＤＶＣ１ｂから映像データが送信されていないので、「単一録画」「複数同時録画」のどちらでも良いが、まず、ＤＶＣ１ａは「単一録画」の記録モードで録画を開始することとする。
【００２６】
撮像カメラ部４ａは、撮像制御部２ａからの撮影開始の制御信号に基づいて、映像データを取り込み、所定のデータ形式で出力し、記録制御部５は、撮像制御部２ａからの記録開始の制御信号に基づいて、撮像カメラ部４ａによって取り込まれた映像データを記録媒体７に記録する（ステップＳ０２）。ここでは、ＭＰＥＧ２のデータ形式で映像データが取り込まれ、そのままのデータ形式で記録媒体７に記録することとする。
【００２７】
なお、ユーザが操作パネルを操作して、別のデータ形式を選択した場合、例えば、ＭＰＥＧ２からＤＶへ変更するような場合は、エンコーダ部６によって別のデータ形式に再符号化され記録媒体７に記録される。
【００２８】
次に、ＤＶＣ１ｂに通信ケーブルを接続し、通信制御部３ｂが、ＤＶＣ１ａ−ＤＶＣ１ｂ間に通信ケーブルが接続されたことを検出すると、ＤＶＣ１ａのＩＰアドレスを送信先としてＤＶＣ１ａに対して接続要求を送信する（ステップＳ０３）。
【００２９】
ＤＶＣ１ａの通信制御部３ａは、ＤＶＣ１ｂから接続要求を受信すると、ＤＶＣ１ｂ用のＩＰアドレスを新たに発行して、応答としてそのＩＰアドレスを返信する（ステップＳ０４）。ＤＶＣ１ｂの通信制御部３ｂは、ＤＶＣ１ａからＩＰアドレスを受信すると、そのＩＰアドレスを記憶しＤＶＣ１ａ−ＤＶＣ１ｂ間の接続を確立する（ステップＳ０５）。
【００３０】
次に、ＤＶＣ１ｂのユーザが操作パネルを操作して、撮影開始の所定の入力を行うと（ステップＳ０６）、撮像制御部２ｂは、撮像カメラ部４ｂに対して撮影開始を指示する制御信号を、通信制御部３ｂに対して所定のデータ形式での映像データの送信開始を指示する制御信号を出力する。
【００３１】
撮像カメラ部４ｂは、撮像制御部２ｂからの撮影開始の制御信号に基づいて、映像データを取り込み、所定のデータ形式で出力し、通信制御部３ｂは、撮像制御部２ｂからの送信開始の制御信号に基づいて、撮像カメラ部４ｂによって取り込まれた映像データをＤＶＣ１ａに送信する（ステップＳ０７）。ここでは、ＤＶ形式で映像データが取り込まれ、ＤＶＣ１ａに送信されるとする。
【００３２】
また、ＤＶＣ１ａの撮像制御部２ａは、通信制御部３ａがＤＶＣ１ｂに対してＩＰアドレスを発行すると、自己の動作状態を取得し（ステップＳ０８）、必要に応じて記録モードを再設定する（ステップＳ０９）。ステップＳ０２においてＤＶＣ１ａは「単一録画」の記録モードで録画を開始しているので、撮像制御部２ａは、「単一録画で録画中」であることを取得するが、撮像制御部２ａは、接続要求を行ったＤＶＣ１ｂからの映像データを記録するために、記録モードを「複数同時録画」に設定し、記録制御部５に通知する。
【００３３】
ＤＶＣ１ａの通信制御部３ａが、ＤＶＣ１ｂから映像データの受信を開始すると、撮像制御部２ａは、記録制御部５に対して通信制御部３ａが受信する映像データの記録開始を指示する制御信号を出力する。
【００３４】
記録制御部５は、撮像制御部２ａからの記録開始の制御信号に基づいて、通信制御部３ａが受信する映像データを記録媒体７に記録する（ステップＳ１０）。この時、ステップＳ０２で録画を開始した際のデータ形式と、通信制御部３ａが受信する映像データのデータ形式が同一であり、かつＤＶＣ１ａ所定のデータ形式であれば、記録制御部５は、エンコーダ部６にて再符号化を行うことなく記録媒体７に記録するが、ステップＳ０２で録画を開始した際のデータ形式がＭＰＥＧ２、通信制御部３ａが受信する映像データのデータ形式がＤＶというように異なる場合は、エンコーダ部６にて両映像データのデータ形式を同一のものに再符号化して記録媒体７に記録する。
【００３５】
次に、ＤＶＣ１ｂのユーザが操作パネルを操作して、撮影停止の所定の入力を行うと（ステップＳ１１）、撮像制御部２ｂは、撮像カメラ部４ｂに対して撮影停止を指示する制御信号を、通信制御部３ｂに対して所定のデータ形式での映像データの送信停止を指示する制御信号を出力し、撮像カメラ部４ｂは、撮像制御部２ｂからの撮影停止の制御信号に基づいて、映像データの取り込みを停止し、通信制御部３ｂは、撮像制御部２ｂからの送信停止の制御信号に基づいて、記録媒体７への記録を停止させる停止信号をＤＶＣ１ａに送信する（ステップＳ１２）。
【００３６】
ＤＶＣ１ａの通信制御部３ａがＤＶＣ１ｂから停止信号を受信すると、記録制御部５は、ＤＶＣ１ｂからの映像データの記録を停止するが（ステップＳ１３）、撮像カメラ部４ａからの映像データはそのまま継続して記録する。ＤＶＣ１ａのユーザが操作パネルを操作して、撮影停止の所定の入力を行うと（ステップＳ１４）、撮像制御部２ａは、撮像カメラ部４ａに対して撮影停止を指示する制御信号を、記録制御部５に対して映像データの記録停止を指示する制御信号を出力する。撮像カメラ部４ａは、撮像制御部２ａからの撮影停止の制御信号に基づいて、映像データの取り込みを停止し、記録制御部５は、撮像制御部２ａからの記録停止の制御信号に基づいて、撮像カメラ部４ａからの映像データの記録を停止する（ステップＳ１５）。
【００３７】
このようにして、ＤＶＣ１ｂ（子機）からの映像データをＤＶＣ１ａ（親機）の記録媒体７に記録する。
【００３８】
なお、ステップＳ０３〜ステップＳ０５までの接続を確立する処理は、ＵＰｎＰ（Universal Plug and Play）等の通信規格に従って、ＤＶＣ１ｂがＤＶＣ１ａに接続された時点で、動的に情報交換することで、必要な設定を自動的に行うようにしても良い。ＵＰｎＰの機能を備えていれば、ＤＶＣ１ｂの電源がオンになった時点でＤＶＣ１ｂはＤＶＣ１ａの制御下に入り、ＤＶＣ１ａから操作可能な状態となる。
【００３９】
また、ステップＳ０６〜ステップＳ０７では、ユーザが直接ＤＶＣ１ｂを操作して撮影を開始していたが、ＤＶＣ１ａ−ＤＶＣ１ｂ間の接続が確立された後は、ＤＶＣ１ａからＤＶＣ１ｂへ撮影開始および停止を指示する制御信号を送信することが可能となるので、ユーザがＤＶＣ１ａを操作してＤＶＣ１ｂでの撮影を開始するようにしても良い。
【００４０】
また、本実施形態では、ＤＶＣ１ａ（親機）とＤＶＣ１ｂ（子機）が１対１で接続されているが、ＤＶＣ１ｂ（子機）が複数台あっても良い。ただし、複数台の場合はデータ量も多くなるので、複数の映像データを記録時のビットレートを越えない範囲に再符号化して記録する。
【図面の簡単な説明】
【００４１】
【図１】ＤＶＣａ（親機）およびＤＶＣｂ（子機）の機能構成を示す図である。
【図２】映像データの送受信時におけるＤＶＣａ（親機）およびＤＶＣｂ（子機）の動作を示すシーケンス図である。
【符号の説明】
【００４２】
１ａ  デジタルビデオカメラ（親機）
１ｂ  デジタルビデオカメラ（子機）
２ａ、ｂ  撮像制御部
３ａ、ｂ  通信制御部
４ａ、ｂ  撮像カメラ部
５  記録制御部
６  エンコーダ部
７  記録媒体
【図１】
2005151421.tif 000003
【図２】
2005151421.tif 000004